(57)【特許請求の範囲】
【請求項１】
建物の外周部分に施工された布基礎の立ち上がり部とこの立ち上がり部で包囲された地盤上に施工した土間コンクリートとの継ぎ目をシロアリが通過して床下空間へ侵入するのを防止するために、前記シロアリの分泌物に耐性の耐腐食性材料で構成され、前記布基礎の周方向に延びる閉塞用のメッシュシートを、前記継ぎ目を閉塞するように施工する建物の防蟻工法であって、
少なくとも前記立ち上がり部を打設する際に、この立ち上がり部の天端面に前記閉塞用のメッシュシートの幅方向の一端を埋設し、この閉塞用のメッシュシートを前記立ち上がり部の天端面及び内側面に当接するように折曲すると共に、その幅方向の他端を内側方へ所定長さ突出するように折曲した後、前記土間コンクリートを打設することによって、この土間コンクリートに前記閉塞用のメッシュシートの幅方向の他端を埋設することを特徴とする建物の防蟻工法。
【請求項２】
前記立ち上がり部を施工するために間隔を開けて相対向して配置された内外１対のコンクリート型枠のうち、外側のコンクリート型枠の型枠面に、前記シロアリの分泌物に耐性の耐腐食性材料で構成され、前記布基礎の周方向に延びる被覆用のメッシュシートをその下端が下方へ所定長さ突出するように固定し、この被覆用のメッシュシートを介して基礎断熱材を前記外側のコンクリート型枠の型枠面に固定した後、前記立ち上がり部と前記布基礎のベース部とを同時又はほぼ同時に打設することによって、前記閉塞用のメッシュシートの幅方向の一端を前記立ち上がり部の天端面に埋設すると共に、前記被覆用のメッシュシートの下端を前記ベース部に埋設し、かつ、前記基礎断熱材を少なくとも前記立ち上がり部の外側面に接着一体化する請求項１記載の建物の防蟻工法。
【請求項３】
前記外周部分の布基礎の内方に施工される布基礎の少なくとも立ち上がり部を打設する際、この内方の立ち上がり部の天端面に、この内方の布基礎の周方向に延設される前記閉塞用のメッシュシートの幅方向の一端を埋設し、この閉塞用のメッシュシートを前記内方の立ち上がり部の天端面及び側面に当接するように折曲すると共に、その幅方向の他端を側方へ所定長さ突出するように折曲した後、前記土間コンクリートを打設することによって、この土間コンクリートに前記閉塞用のメッシュシートの幅方向の他端を埋設する請求項１又は２記載の建物の防蟻工法。
【発明の詳細な説明】
【０００１】
【発明の属する技術分野】
この発明は、建物の外周部分に施工された布基礎の立ち上がり部とこの立ち上がり部で包囲された地盤上に施工した土間コンクリートとの継ぎ目をシロアリが通過して床下空間へ侵入するのを防止したり、あるいは前記立ち上がり部の内側面等に密着した基礎断熱材をシロアリによる食害から保護したりするための建物の防蟻構造及び防蟻工法、並びにその建物に関する。
【０００２】
【従来の技術】
建物における従来のシロアリ防除技術としては、例えば、
（１）建物の床下の地盤（土壌）と、地面から１ｍ以内の木部とを薬剤で処理する方法、
（２）床下の地盤上に、薬剤を練り込んだ合成樹脂シートを敷設する方法、
等が知られている。
【０００３】
【発明が解決しようとする課題】
しかしながら、上記のような従来例（１）においては、薬剤に起因する化学物質過敏症等の問題があり、即ち、建物内の環境が化学物質によって汚染されると共に、５年程度で薬効が切れるために再処理の必要があるという問題点がある。
【０００４】
また、従来例（２）においては、合成樹脂シートの周囲の隙間からシロアリが侵入することがあるという問題点がある。
【０００５】
この発明は、以上のような問題点に鑑みてなされたものであり、建物内の環境を汚染することなく、軸組、床組、基礎断熱材等をシロアリによる食害から確実に保護できる建物の防蟻構造及び防蟻工法、並びにその建物を提供することを目的とする。
【０００６】
上記目的を達成するため、防蟻構造は、建物の外周部分に施工された布基礎の立ち上がり部と、この立ち上がり部で包囲された地盤上に施工した土間コンクリートとの継ぎ目を、シロアリが通過して床下空間へ侵入するのを防止できる建物の防蟻構造であって、前記シロアリの分泌物に耐性の耐腐食性材料で構成され、前記布基礎の周方向に延びる閉塞用のメッシュシートの幅方向の一端を前記布基礎に埋設し、他端を前記土間コンクリートに埋設し、前記立ち上がり部の外側面に基礎断熱材を密着させ、この基礎断熱材の少なくとも外側面における地上の所定高さから下縁までの範囲に、前記シロアリの分泌物に耐性の耐腐食性材料で構成された被覆用のメッシュシートをその幅方向の一端が所定長さ突出するように取付けると共に、この被覆用のメッシュシートの下端を前記布基礎に埋設したものである。これにより、閉塞用のメッシュシートが障害となるので、シロアリが外周部分の立ち上がり部と土間コンクリートとの継ぎ目を通過して床下空間へ侵入するのを阻止できる。また、被覆用のメッシュシートが障害となってシロアリが基礎断熱材へ侵入するのを阻止できるので、基礎断熱材の内部を通過して軸組や床組等へ侵入するのを阻止できる。そのため、建物内の環境を汚染することなく、軸組、床組、基礎断熱材等をシロアリによる食害から確実に保護できる。
【０００７】
防蟻構造は、前記閉塞用のメッシュシートの幅方向の一端を前記布基礎のベース部に埋設したものである。これにより、閉塞用のメッシュシートの幅方向の一端を外周部分の布基礎のベース部に埋設しているので、立ち上がり部とベース部との間に継ぎ目が形成されている場合に、シロアリが内方の地盤からこの継ぎ目を通過して基礎断熱材へ侵入するのを阻止できる。
【０００８】
防蟻構造は、前記被覆用のメッシュシートの下端を前記布基礎のベース部に埋設したものである。これにより、被覆用のメッシュシートの下端を外周部分の布基礎のベース部に埋設しているので、立ち上がり部とベース部との間に継ぎ目が形成されている場合に、シロアリが外方の地盤からこの継ぎ目へ侵入するのを阻止できる。
【０００９】
防蟻構造は、建物の外周部分に施工された布基礎の立ち上がり部の内側面に密着した基礎断熱材をシロアリによる食害から保護できる建物の防蟻構造であって、前記シロアリの分泌物に耐性の耐腐食性材料で構成され、前記布基礎の周方向に延びる閉塞用のメッシュシートの幅方向の一端を前記布基礎に埋設すると共に、他端を、前記立ち上がり部で包囲された地盤上に施工した土間コンクリートに埋設したものである。これにより、閉塞用のメッシュシートが障害となるので、シロアリが基礎断熱材の内部やこの基礎断熱材と土間コンクリートとの継ぎ目を通過して床下空間へ侵入するのを阻止できる。
【００１０】
防蟻構造は、前記土間コンクリートの外周部分に前記布基礎のベース部まで達する厚肉部を設けると共に、この厚肉部に前記閉塞用のメッシュシートの幅方向の他端を埋設したものである。これにより、土間コンクリートの厚肉部に閉塞用のメッシュシートの幅方向の他端を埋設しているので、閉塞用のメッシュシートの幅を小さくでき、そのためメッシュシートの使用量を節約できる。
【００１１】
防蟻構造は、建物の外周部分に施工された布基礎の立ち上がり部と、この立ち上がり部で包囲された地盤上に施工した土間コンクリートとの継ぎ目を、シロアリが通過して床下空間へ侵入するのを防止できる建物の防蟻構造であって、前記シロアリの分泌物に耐性の耐腐食性材料で構成され、前記布基礎の周方向に延びる閉塞用のメッシュシートの幅方向の一端を前記布基礎に埋設すると共に、他端を、前記土間コンクリートの外周部分に前記布基礎のベース部まで達するように設けた厚肉部に埋設したものである。これにより、閉塞用のメッシュシートが障害となるので、シロアリが外周部分の立ち上がり部と土間コンクリートとの継ぎ目を通過して床下空間へ侵入するのを阻止できる。また、厚肉部に閉塞用のメッシュシートの幅方向の他端を埋設しているので、メッシュシートの使用量を節約できる。
【００１２】
防蟻構造は、前記シロアリの分泌物に耐性の耐腐食性材料で構成され、前記布基礎の周方向に延びる外側閉塞用のメッシュシートの下端を前記布基礎のベース部に埋設すると共に、上端を前記立ち上がり部に埋設したものである。これにより、外側閉塞用のメッシュシートの下端を外周部分の布基礎のベース部に埋設すると共に、上端を立ち上がり部に埋設しているので、外側閉塞用のメッシュシートが障害となり、そのためシロアリが外周部分の立ち上がり部とベース部との継ぎ目を通過して基礎断熱材の内部や床下空間へ侵入するのを阻止できる。
【００１３】
防蟻構造は、前記閉塞用のメッシュシートの幅方向の一端を前記立ち上がり部に埋設したものである。これにより、閉塞用のメッシュシートの幅方向の一端を外周部分の立ち上がり部に埋設しているので、閉塞用のメッシュシートが障害となり、そのためシロアリが基礎断熱材の内部やこの基礎断熱材と土間コンクリートとの継ぎ目を通過して床下空間へ侵入するのを阻止できる。
【００１４】
防蟻構造は、前記外周部分の布基礎の内方に施工された布基礎の周方向に沿って前記閉塞用のメッシュシートを延設し、この閉塞用のメッシュシートの幅方向の一端を前記内方の布基礎に埋設すると共に、他端を前記土間コンクリートに埋設したものである。これにより、内方の布基礎の周方向に沿って閉塞用のメッシュシートを延設し、この閉塞用のメッシュシートの幅方向の一端を内方の布基礎に埋設すると共に、他端を土間コンクリートに埋設しているので、この閉塞用のメッシュシートが障害となり、そのためシロアリが内方の立ち上がり部と土間コンクリートとの継ぎ目を通過して床下空間へ侵入するのを阻止できる。
【００１５】
防蟻構造は、前記土間コンクリートの外周部分に前記内方の布基礎のベース部まで達する厚肉部を設けると共に、この厚肉部に前記閉塞用のメッシュシートの幅方向の他端を埋設したものである。これにより、土間コンクリートの厚肉部に閉塞用のメッシュシートの幅方向の他端を埋設しているので、閉塞用のメッシュシートの幅を小さくでき、そのためメッシュシートの使用量を節約できる。
【００１６】
防蟻構造は、前記閉塞用のメッシュシートにその長手方向に沿って伸縮用ひだ部を延設したものである。これにより、閉塞用のメッシュシートにその長手方向に沿って伸縮用ひだ部を延設しているので、コンクリートの乾燥収縮や地震等の振動により外周部分の布基礎や内方の布基礎と土間コンクリートとの相対位置が変動する場合でも伸縮用ひだ部が伸縮する。そのため、閉塞用のメッシュシートが布基礎や土間コンクリートから外れるのを防止でき、修繕の必要がない。
【００１７】
防蟻構造においては、前記メッシュシートが有する多数の孔の寸法が、いずれの方向においても前記シロアリの頭部横断面における最大直線寸法の２倍以下である。これにより、メッシュシートが有する多数の孔の寸法が、いずれの方向においてもシロアリの頭部横断面における最大直線寸法の２倍以下、即ち、孔をシロアリの頭部が通り抜けないか又は頭部が通り抜けても柔らかい体部等が孔に接触するような寸法であるので、シロアリが孔を通り抜けるのを嫌い、そのためシロアリの侵入をより確実に阻止できる。
【００１８】
建物は、上記のいずれかの防蟻構造を有するものである。
【００１９】
上記目的を達成するため、請求項１の防蟻工法は、建物の外周部分に施工された布基礎の立ち上がり部とこの立ち上がり部で包囲された地盤上に施工した土間コンクリートとの継ぎ目をシロアリが通過して床下空間へ侵入するのを防止するために、前記シロアリの分泌物に耐性の耐腐食性材料で構成され、前記布基礎の周方向に延びる閉塞用のメッシュシートを、前記継ぎ目を閉塞するように施工する建物の防蟻工法であって、少なくとも前記立ち上がり部を打設する際に、この立ち上がり部の天端面に前記閉塞用のメッシュシートの幅方向の一端を埋設し、この閉塞用のメッシュシートを前記立ち上がり部の天端面及び内側面に当接するように折曲すると共に、その幅方向の他端を内側方へ所定長さ突出するように折曲した後、前記土間コンクリートを打設することによって、この土間コンクリートに前記閉塞用のメッシュシートの幅方向の他端を埋設するものである。
【００２０】
請求項２の防蟻工法は、前記立ち上がり部を施工するために間隔を開けて相対向して配置された内外１対のコンクリート型枠のうち、外側のコンクリート型枠の型枠面に、前記シロアリの分泌物に耐性の耐腐食性材料で構成され、前記布基礎の周方向に延びる被覆用のメッシュシートをその下端が下方へ所定長さ突出するように固定し、この被覆用のメッシュシートを介して基礎断熱材を前記外側のコンクリート型枠の型枠面に固定した後、前記立ち上がり部と前記布基礎のベース部とを同時又はほぼ同時に打設することによって、前記閉塞用のメッシュシートの幅方向の一端を前記立ち上がり部の天端面に埋設すると共に、前記被覆用のメッシュシートの下端を前記ベース部に埋設し、かつ、前記基礎断熱材を少なくとも前記立ち上がり部の外側面に接着一体化するものである。
【００２１】
請求項３の防蟻工法は、前記外周部分の布基礎の内方に施工される布基礎の少なくとも立ち上がり部を打設する際、この内方の立ち上がり部の天端面に、この内方の布基礎の周方向に延設される前記閉塞用のメッシュシートの幅方向の一端を埋設し、この閉塞用のメッシュシートを前記内方の立ち上がり部の天端面及び側面に当接するように折曲すると共に、その幅方向の他端を側方へ所定長さ突出するように折曲した後、前記土間コンクリートを打設することによって、この土間コンクリートに前記閉塞用のメッシュシートの幅方向の他端を埋設するものである。
【００２２】
防蟻工法は、建物の外周部分に施工された布基礎の立ち上がり部の内側面に密着した基礎断熱材をシロアリによる食害から保護するために、前記シロアリの分泌物に耐性の耐腐食性材料で構成され、前記布基礎の周方向に延びる閉塞用のメッシュシートを、前記立ち上がり部で包囲された地盤上に施工した土間コンクリートと前記布基礎のベース部との間を閉塞するように施工する建物の防蟻工法であって、前記立ち上がり部を施工するために間隔を開けて相対向して配置された内外１対のコンクリート型枠のうち、内側のコンクリート型枠の型枠面に、前記閉塞用のメッシュシートをその幅方向の一端が下方へ所定長さ突出するように固定し、この閉塞用のメッシュシートを介して基礎断熱材を前記内側のコンクリート型枠の型枠面に固定し、前記立ち上がり部と前記ベース部とを同時又はほぼ同時に打設することによって、前記閉塞用のメッシュシートの幅方向の一端を前記ベース部に埋設すると共に、前記基礎断熱材を少なくとも前記立ち上がり部の内側面に接着一体化した後、前記閉塞用のメッシュシートの幅方向の他端を内側方へ所定長さ突出するように折曲し、前記土間コンクリートを打設することによって、この土間コンクリートに前記閉塞用のメッシュシートの幅方向の他端を埋設するものである。これにより、工期を短縮できると共に、閉塞用のメッシュシートの幅方向の一端の埋設や基礎断熱材の接着一体化を簡単に行える。
【００２３】
【発明の実施の形態】
以下、この発明の実施形態を図面に基づいて説明する。
図１乃至図５に示すように、第１実施形態に係る建物Ａの防蟻構造は、建物Ａの外周部分に施工された布基礎１の立ち上がり部２と、この立ち上がり部２で包囲された地盤３上に施工した土間コンクリート４との継ぎ目５を、シロアリ６が通過して床下空間７へ侵入するのを防止できるものであって、例えば、布基礎１の周方向に延びる閉塞用のメッシュシート８の幅方向の一端８ａを布基礎１のベース部９に埋設し、他端８ｂを土間コンクリート４に埋設し、立ち上がり部２の外側面２ａに基礎断熱材１０を密着させ、この基礎断熱材１０の外側面１０ａに被覆用のメッシュシート１１をその下端１１ｄが所定長さ突出するように取付けると共に、この被覆用のメッシュシート１１の下端１１ｄをベース部９に埋設したものである。
【００２４】
布基礎１は、建物Ａの外周部分に周方向に延びるように施工されており、立ち上がり部２とベース部９とから横断面が逆Ｔ字状に形成されている。立ち上がり部２とベース部９との間にはこれらを別々に打設することによって継ぎ目１２が形成されており、ベース部９の下方には割栗石１３や捨てコンクリート１４が施工されている。また、立ち上がり部２の内方には床下空間７が形成されている。
【００２５】
この布基礎１の内方には立ち上がり部１５とベース部１６とからなる布基礎１７が必要に応じて施工されており、外周部分の立ち上がり部２で包囲された地盤３は、縦横等に連続する内方の立ち上がり部１５により複数の区画に区分されている。内方の立ち上がり部１５とベース部１６との間にも継ぎ目１８が形成されており、ベース部１６の下方にも割栗石１３や捨てコンクリート１４が施工されている。
【００２６】
土間コンクリート４は、外周部分の立ち上がり部２及び内方の立ち上がり部１５で包囲された地盤３上に施工されており、内部にワイヤーメッシュ等が埋設されている。この土間コンクリート４と外周部分の立ち上がり部２との間には継ぎ目５が、土間コンクリート４と内方の立ち上がり部１５との間には継ぎ目１９がそれぞれ形成されている。なお、土間コンクリート４と地盤３との間又は土間コンクリート４上には、必要に応じて防湿シート等を敷設してもよい。
【００２７】
基礎断熱材１０は、矩形状の合成樹脂発泡板等から構成されており、外周部分の立ち上がり部２の外側面２ａに横方向に相隣接して密着している。この基礎断熱材１０は、立ち上がり部２に接着剤等で接着一体化させたり、あるいは立ち上がり部２を打設する際にそのコンクリート型枠の型枠面に基礎断熱材１０を固定した状態でコンクリートと接着一体化させたりすればよい。基礎断熱材１０を立ち上がり部２等の打設により密着させる場合は、基礎断熱材１０とコンクリートとの密着が充分なものとなり、断熱性や防蟻性の面から更に好ましいものとなる。
【００２８】
シロアリ６とは、ゴキブリに近縁の社会生活をする不完全変態の昆虫であって、シロアリ目（等翅類）Isopteraの総称である。このシロアリ６は、図４に示すように、非変形性の堅い頭部６ａを有する一方、比較的柔らかくて弱い体部６ｂを有している。このようなシロアリ６としては、例えば、ヤマトシロアリやイエシロアリ等の各種のものが挙げられる。
【００２９】
閉塞用のメッシュシート８及び被覆用のメッシュシート１１は、図５に示すように、例えばステンレス鋼ワイヤ２０等から製織等され、複数の網目（孔）２１を有している。なお、シロアリバリアー材として使用されるメッシュシート８，１１は、シロアリ６から放出されるギ酸等の分泌物に耐性でかつシロアリ６が噛み砕くことができない硬さ、好ましくは少なくともＨＤＤ約７０のデュロメータ硬さを有すると共に、使用環境下で数十年の耐用年数を有する耐腐食性材料で構成されていれば、種々のものを使用できる。このようなメッシュシート８，１１としては、例えば、セラミックス・ガラス・合成樹脂・金属（特にステンレス）等の繊維・フィラメント・ストランド等から製織又は製編等されたワイヤーラス等や不織布、あるいはパンチングメタル、メタルラス等が挙げられ、特に「ターミメッシュ（ＴＥＲＭＩ−ＭＥＳＨ）」（商品名，ターミメッシュジャパン株式会社製）等のステンレスメッシュ等、柔軟性に優れ、かつ、切断、折曲による造形、折曲時の輪郭付け等が容易なものが好適である。要するに、網目２１等の複数の孔を有していればよいが、この孔の形状は特に限定されるものではなく、矩形状や円状等の適宜の形状とすることができる。
【００３０】
図１及び図２に示すように、このように構成される閉塞用のメッシュシート８の幅方向の一端８ａはベース部９に埋設されていると共に、他端８ｂは土間コンクリート４に埋設されている。他端８ｂを土間コンクリート４に埋設するには、一端８ａをベース部９に埋設した後、他端８ｂが上方に突出するようにして地盤３の所定範囲を埋め戻す等してから土間コンクリート４を打設すればよい。なお、メッシュシート８は多数の孔を有しているので、アンカー効果によってベース部９等や土間コンクリート４に対してより強固に埋設できるという利点がある。
【００３１】
メッシュシート８を上記のように設けておけば、このメッシュシート８が障害となるので、シロアリ６が外周部分の立ち上がり部２と土間コンクリート４との継ぎ目５を通過して床下空間７へ侵入するのを阻止できる。そのため、建物Ａ内の環境を汚染することなく軸組Ｂや床組Ｃ等をシロアリ６による食害から確実に保護できるという利点がある。
【００３２】
なお、メッシュシート８の幅方向の一端８ａは立ち上がり部２に埋設してもよいが、ベース部９に埋設しておけば、この実施形態のように立ち上がり部２とベース部９との間に継ぎ目１２が形成されている場合に、シロアリ６が内方の地盤３からこの継ぎ目１２を通過して基礎断熱材１０へ侵入するのを阻止できるという利点がある。
【００３３】
被覆用のメッシュシート１１は、基礎断熱材１０の外側面１０ａに下端１１ｄが所定長さ突出するように取付けられていると共に、その下端１１ｄがベース部９に埋設されている。このメッシュシート１１を基礎断熱材１０の外側面１０ａに取付けるには、立ち上がり部２を施工するためのコンクリート型枠の型枠面にメッシュシート１１を固定した状態でその下端１１ｄをベース部９等に埋設した後、モルタルに適宜のポリマー等を配合した接着モルタル等で接着一体化させたり、あるいは基礎断熱材１０の外側面１０ａに下端１１ｄが所定長さ突出するようにしてあらかじめ融着一体化させておき、前記コンクリート型枠の型枠面にメッシュシート１１付きの基礎断熱材１０を固定した状態で下端１１ｄをベース部９等に埋設したりすればよい。なお、メッシュシート１１は多数の孔を有しているので、アンカー効果によってベース部９等や基礎断熱材１０に対してより強固に埋設、接着、又は融着できるという利点がある。
【００３４】
メッシュシート１１を上記のように設けておけば、このメッシュシート１１が障害となってシロアリ６が基礎断熱材１０へ侵入するのを阻止できるので、基礎断熱材１０の内部を通過して軸組Ｂや床組Ｃ等へ侵入するのを阻止できる。そのため、建物Ａ内の環境を汚染することなく、基礎断熱材１０、軸組Ｂ、床組Ｃ等をシロアリ６による食害から確実に保護できるという利点がある。
【００３５】
なお、基礎断熱材１０は、少なくとも外側面１０ａにおける地上の所定高さから下縁１０ｄまでの範囲を被覆しておけばよいが、この場合の地上高さとしては、５０ｍｍ以上、好ましくは１００ｍｍ以上が望ましい。一方、５０ｍｍ未満では、シロアリ６がメッシュシート１１より高い位置まで登る可能性があるので、望ましくない。
【００３６】
また、メッシュシート１１の下端１１ｄは、基礎断熱材１０の下端部を巻き込むようにして立ち上がり部２に埋設してもよいが、ベース部９に埋設しておけば、この実施形態のように立ち上がり部２とベース部９との間に継ぎ目１２が形成されている場合に、シロアリ６が外方の地盤２２からこの継ぎ目１２へ侵入するのを阻止できるという利点がある。
【００３７】
更に、図１及び図３に示すように、内方の布基礎１７の周方向に沿って閉塞用のメッシュシート８を延設し、このメッシュシート８の幅方向の一端８ａを内方の布基礎１７のベース部１６に埋設すると共に、他端８ｂを土間コンクリート４に埋設しておけば、このメッシュシート８が障害となるので、シロアリ６が内方の立ち上がり部１５と土間コンクリート４との継ぎ目１９を通過して床下空間７へ侵入するのを阻止できるという利点がある。この場合、メッシュシート８は、内方の立ち上がり部１５の両側でそれぞれ上記のように設けておけばよい。なお、メッシュシート８の幅方向の一端８ａは立ち上がり部１５に埋設してもよいが、この実施形態のように内方の立ち上がり部１５とベース部１６との間に継ぎ目１８が形成されている場合は、シロアリ６が継ぎ目１８を通過して反対側へ侵入しないように、一端８ａを埋設する部位をベース部１６同士又は立ち上がり部１５同士として立ち上がり部１５の両側で合わせておけばよい。
【００３８】
ここで、この実施形態のように、閉塞用のメッシュシート８にその長手方向に沿って伸縮用ひだ部２３を延設しておけば、コンクリートの乾燥収縮や地震等の振動により布基礎１，１７と土間コンクリート４との相対位置が変動する場合でも伸縮用ひだ部２３が伸縮するので、メッシュシート８が布基礎１，１７や土間コンクリート４から外れるのを防止でき、修繕の必要がないという利点がある。なお、伸縮用ひだ部２３は、所定範囲を折り返す等してメッシュシート８にあらかじめ延設しておいてもよいし、あるいは施工現場で延設してもよい。
【００３９】
また、メッシュシート８，１１における網目２１等の孔の寸法が、いずれか１方向又は２以上の方向において、図４に示すシロアリ６の頭部６ａの横断面における最大直線寸法Ｈの２倍以下、即ち、孔をシロアリ６の頭部６ａが通り抜けないか又は頭部６ａが通り抜けても柔らかい体部６ｂ等が孔に接触するような寸法である場合は、シロアリ６が孔を通り抜けるのを嫌うので、シロアリ６の侵入をより確実に阻止できるという利点がある。
【００４０】
なお、前記最大直線寸法Ｈは、イエシロアリの職蟻で１．１〜１．２５ｍｍ程度、ヤマトシロアリの職蟻で１．０〜１．２ｍｍ程度であるので、ヤマトシロアリが生息する地域では、孔の寸法をいずれの方向においても２．０ｍｍ程度以下としておくのが望ましい。
【００４１】
図６に示すように、第２実施形態に係る建物Ａの防蟻構造は、第１実施形態において、外周部分の立ち上がり部２とベース部９とを一体的に施工すると共に、被覆用のメッシュシート１１を取付けることなく基礎断熱材１０を外周部分の立ち上がり部２の内側面２ｂに密着させたものである。この防蟻構造によれば、閉塞用のメッシュシート８が障害となるので、シロアリ６が基礎断熱材１０の内部やこの基礎断熱材１０と土間コンクリート４との継ぎ目２１を通過して床下空間７へ侵入するのを阻止できるという利点がある。
【００４２】
図７及び図８に示すように、第３実施形態に係る建物Ａの防蟻構造は、第２実施形態において、土間コンクリート４の外周部分に外周部分の布基礎１のベース部９や内方の布基礎１７のベース部１６まで達する厚肉部３１を設けると共に、この厚肉部３１に閉塞用のメッシュシート８の幅方向の他端８ｂを埋設したものである。この防蟻構造によれば、閉塞用のメッシュシート８の幅を小さくできるので、メッシュシート８の使用量を節約できるという利点がある。なお、伸縮用ひだ部２３は、伸縮可能なように、外周部分のベース部９と厚肉部３１との継ぎ目３２や内方のベース部１６と厚肉部３１との継ぎ目３３に配置する等して布基礎１，１７や厚肉部３１に埋設されないようにしておけばよい。ここで、継ぎ目３２，３３は水平方向に形成されるので、コンクリートの乾燥収縮によっても隙間寸法が大きくならず、寸法安定性が良好であるという利点がある。
【００４３】
図９に示すように、第４実施形態に係る建物Ａの防蟻構造は、第３実施形態において、外周部分の立ち上がり部２の内側面２ｂに基礎断熱材１０を密着させないものである。この場合も、閉塞用のメッシュシート８が障害となるので、シロアリ６が外周部分の立ち上がり部２と土間コンクリート４との継ぎ目５を通過して床下空間７へ侵入するのを阻止できるという利点がある。
【００４４】
図１０に示すように、第５実施形態に係る建物Ａの防蟻構造は、第３実施形態において、外周部分の立ち上がり部２とベース部９との間に継ぎ目１２を形成し、外周部分の布基礎１の周方向に延びる外側閉塞用のメッシュシート５１の下端５１ｄをベース部９に埋設すると共に、上端５１ｃを立ち上がり部２に埋設したものである。外側閉塞用のメッシュシート５１は、既述のメッシュシート８，１１と同様に構成されている。この防蟻構造によれば、外側閉塞用のメッシュシート５１が障害となるので、シロアリ６が外周部分の立ち上がり部２とベース部９との継ぎ目１２を通過して基礎断熱材１０の内部や床下空間７へ侵入するのを阻止できるという利点がある。
【００４５】
図１１及び図１２に示すように、第６実施形態に係る建物Ａの防蟻構造は、第３実施形態において、外周部分の立ち上がり部２とベース部９との間に継ぎ目１２を形成すると共に、閉塞用のメッシュシート８の幅方向の一端８ａを外周部分の立ち上がり部２や内方の立ち上がり部１５に埋設したものである。この防蟻構造によれば、横断面がコ字状等に設けられた閉塞用のメッシュシート８が障害となるので、シロアリ６が基礎断熱材１０の内部、この基礎断熱材１０と土間コンクリート４との継ぎ目２１、内方の立ち上がり部１５と土間コンクリート４との継ぎ目１９を通過して床下空間７へ侵入するのを阻止できるという利点がある。
【００４６】
図１３及び図１４に示すように、第７実施形態に係る建物Ａの防蟻構造は、第１実施形態において、外周部分の立ち上がり部２とベース部９、内方の立ち上がり部１５とベース部１６とをそれぞれ一体的に施工し、閉塞用のメッシュシート８の幅方向の一端８ａを外周部分の立ち上がり部２の天端面２ｃや内方の立ち上がり部１５の天端面１５ｃに埋設すると共に、他端８ｂを土間コンクリート４の外周面４ａに埋設したものである。この場合も、閉塞用のメッシュシート８が障害となるので、シロアリ６が外周部分の立ち上がり部２と土間コンクリート４との継ぎ目５や内方の立ち上がり部１５と土間コンクリート４との継ぎ目１９を通過して床下空間７へ侵入するのを阻止できるという利点がある。
【００４７】
次に、このような防蟻構造を施工するための防蟻工法について説明する。
図１５乃至図１７に示すように、この防蟻工法は、少なくとも外周部分の立ち上がり部２を打設する際に、この立ち上がり部２の天端面２ｃに閉塞用のメッシュシート８の幅方向の一端８ａを埋設し、この閉塞用のメッシュシート８を立ち上がり部２の天端面２ｃ及び内側面２ｂに当接するように折曲すると共に、その幅方向の他端８ｂを内側方へ所定長さ突出するように折曲した後、土間コンクリート４を打設することによって、この土間コンクリート４に閉塞用のメッシュシート８の幅方向の他端８ｂを埋設するものである。
【００４８】
布基礎１を施工するには、立ち上がり部２とベース部９とを別々に打設してもよいが、ベース部９を施工するための内外１対のコンクリート型枠７１，７２を間隔を開けて相対向して配置すると共に、立ち上がり部２を施工するための内外１対のコンクリート型枠７３，７４を間隔を開けて相対向して配置した状態で、立ち上がり部２とベース部９とをほぼ同時に打設、即ち、ベース部９を打設してから少し時間をおいて立ち上がり部２を打設したり、あるいは従来公知の同時打設用のコンクリート型枠を用いて立ち上がり部２とベース部９とを同時に打設したりすれば、工期を短縮できるという利点がある。
【００４９】
閉塞用のメッシュシート８の幅方向の一端８ａを立ち上がり部２の天端面２ｃに埋設するには、この実施形態のようにメッシュシート８を所定位置に配置してから立ち上がり部２を打設してもよいし、あるいは立ち上がり部２を打設してからその硬化前にメッシュシート８の幅方向の一端８ａを埋設してもよい。
【００５０】
閉塞用のメッシュシート８を立ち上がり部２の天端面２ｃ及び内側面２ｂに当接するように折曲すると共に、その幅方向の他端８ｂを内側方へ所定長さ突出するように折曲した後は、この実施形態のように、必要に応じて立ち上がり部２の天端面２ｃにならしモルタル７５等を施工してもよい。
【００５１】
このような防蟻工法によれば、閉塞用のメッシュシート８が幅方向の一端８ａを除いて立ち上がり部２等に埋設されるおそれがないので、後加工をスムーズに行えるという利点がある。また、同時打設用のコンクリート型枠を用いて立ち上がり部２とベース部９とを同時に打設する場合等、メッシュシート８の幅方向の一端８ａをベース部９に埋設できない場合に対応できるという利点がある。なお、内方の立ち上がり部１５においては、立ち上がり部１５の両側で上記と同じ操作をそれぞれ行えばよい。
【００５２】
ここで、この実施形態のように、外周部分の立ち上がり部２を施工するための内外１対のコンクリート型枠７３，７４のうち、外側のコンクリート型枠７３の型枠面７３ａに、被覆用のメッシュシート１１をその下端１１ｄが下方へ所定長さ突出するように固定し、この被覆用のメッシュシート１１を介して基礎断熱材１０を外側のコンクリート型枠７３の型枠面７３ａに固定した後、立ち上がり部２とベース部９とをほぼ同時に打設等することによって、閉塞用のメッシュシート８の幅方向の一端８ａを立ち上がり部２の天端面２ｃに埋設すると共に、被覆用のメッシュシート１１の下端１１ｄをベース部９に埋設し、かつ、基礎断熱材１０を少なくとも立ち上がり部２の外側面２ａに接着一体化するようにすれば、被覆用のメッシュシート１１の下端１１ｄの埋設や基礎断熱材１０の接着一体化を簡単に行えるという利点がある。
【００５３】
図１８に示すように、第８実施形態に係る建物Ａの防蟻構造は、第２実施形態において、閉塞用のメッシュシート８を基礎断熱材１０に当接するように配置すると共に、このメッシュシート８の幅方向の他端８ｂを土間コンクリート４の外周面４ａに埋設したものである。この場合も、閉塞用のメッシュシート８が障害となるので、シロアリ６が基礎断熱材１０の内部やこの基礎断熱材１０と土間コンクリート４の継ぎ目２１を通過して床下空間７へ侵入するのを阻止できるという利点がある。
【００５４】
次に、このような防蟻構造を施工するための防蟻工法について説明する。
図１９乃至図２１に示すように、この防蟻工法は、外周部分の立ち上がり部２を施工するための内外１対のコンクリート型枠７３，７４のうち、内側のコンクリート型枠７４の型枠面７４ａに、閉塞用のメッシュシート８をその幅方向の一端８ａが下方へ所定長さ突出するように固定し、この閉塞用のメッシュシート８を介して基礎断熱材１０を内側のコンクリート型枠７４の型枠面７４ａに固定し、立ち上がり部２とベース部９とをほぼ同時に打設等することによって、閉塞用のメッシュシート８の幅方向の一端８ａをベース部９に埋設すると共に、基礎断熱材１０を少なくとも立ち上がり部２の内側面２ｂに接着一体化した後、閉塞用のメッシュシート８の幅方向の他端８ｂを内側方へ所定長さ突出するように折曲し、土間コンクリート４を打設することによって、この土間コンクリート４に閉塞用のメッシュシート８の幅方向の他端８ｂを埋設するものである。この防蟻工法によれば、工期を短縮できると共に、メッシュシート８の幅方向の一端８ａの埋設や基礎断熱材１０の接着一体化を簡単に行えるという利点がある。
【００５５】
以上の第１乃至第８実施形態においては、外周部分の布基礎１の内方にも布基礎１７を施工する場合について説明したが、これに限定されるものではなく、内方の布基礎１７の代わりに、全面的に施工した土間コンクリート４上に互いに間隔を開けて立設される柱状又は所定形状の複数の床束等を施工してもよい。
【００６７】
請求項１及び請求項３の発明によれば、閉塞用のメッシュシートが幅方向の一端を除いて立ち上がり部等に埋設されるおそれがないので、後加工をスムーズに行える。また、同時打設用のコンクリート型枠を用いて立ち上がり部とベース部とを同時に打設する場合等、メッシュシートの幅方向の一端をベース部に埋設できない場合に対応できる。
【００６８】
請求項２の発明によれば、被覆用のメッシュシートの下端の埋設や基礎断熱材の接着一体化を簡単に行える。また、外周部分の立ち上がり部とベース部とを同時又はほぼ同時に打設するので、工期を短縮できる。
【図面の簡単な説明】
【図１】第１実施形態に係る建物の防蟻構造を示す概略縦断面図。
【図２】外周部分の布基礎付近の要部拡大縦断面図。
【図３】内方の布基礎付近の要部拡大縦断面図。
【図４】  (a)はシロアリの平面図、(b)は(a)のＹ−Ｙ線断面図。
【図５】メッシュシートの要部拡大平面図。
【図６】第２実施形態に係る建物の防蟻構造を示す外周部分の布基礎付近の要部拡大縦断面図。
【図７】第３実施形態に係る建物の防蟻構造を示す外周部分の布基礎付近の要部拡大縦断面図。
【図８】内方の布基礎付近の要部拡大縦断面図。
【図９】第４実施形態に係る建物の防蟻構造を示す外周部分の布基礎付近の要部拡大縦断面図。
【図１０】第５実施形態に係る建物の防蟻構造を示す外周部分の布基礎付近の要部拡大縦断面図。
【図１１】第６実施形態に係る建物の防蟻構造を示す外周部分の布基礎付近の要部拡大縦断面図。
【図１２】内方の布基礎付近の要部拡大縦断面図。
【図１３】第７実施形態に係る建物の防蟻構造を示す外周部分の布基礎付近の要部拡大縦断面図。
【図１４】内方の布基礎付近の要部拡大縦断面図。
【図１５】外側のコンクリート型枠の型枠面に被覆用のメッシュシートと基礎断熱材とを固定すると共に、閉塞用のメッシュシートを所定位置に配置した状態を示す要部拡大縦断面図。
【図１６】布基礎を打設した状態を示す要部拡大縦断面図。
【図１７】閉塞用のメッシュシートを立ち上がり部の天端面及び内側面に沿って折曲すると共に、その幅方向の他端を内側方へ所定長さ突出するように折曲した状態を示す要部拡大縦断面図。
【図１８】第８実施形態に係る建物の防蟻構造を示す外周部分の布基礎付近の要部拡大縦断面図。
【図１９】内側のコンクリート型枠の型枠面に閉塞用のメッシュシートと基礎断熱材とを固定した状態を示す要部拡大縦断面図。
【図２０】布基礎を打設した状態を示す要部拡大縦断面図。
【図２１】閉塞用のメッシュシートの幅方向の他端を内側方へ所定長さ突出するように折曲した状態を示す要部拡大縦断面図。
【符号の説明】
Ａ  建物
１  布基礎
２  立ち上がり部
２ｃ  天端面
３  地盤
４  土間コンクリート
５  継ぎ目
６  シロアリ
６ａ  頭部
７  床下空間
８  閉塞用のメッシュシート
８ａ  一端
８ｂ  他端
９  ベース部
１０  基礎断熱材
１０ａ  外側面
１１  被覆用のメッシュシート
１１ｄ  下端
１５  立ち上がり部
１５ｃ  天端面
１６  ベース部
１７  布基礎
２１  網目（孔）
２３  伸縮用ひだ部
３１  厚肉部
５１  外側閉塞用のメッシュシート
５１ｃ  上端
５１ｄ  下端
７３，７４  コンクリート型枠
７３ａ，７４ａ  型枠面
【図１】
0004727863.tif 000002
【図２】
0004727863.tif 000003
【図３】
0004727863.tif 000004
【図４】
0004727863.tif 000005
【図５】
0004727863.tif 000006
【図６】
0004727863.tif 000007
【図７】
0004727863.tif 000008
【図８】
0004727863.tif 000009
【図９】
0004727863.tif 000010
【図１０】
0004727863.tif 000011
【図１１】
0004727863.tif 000012
【図１２】
0004727863.tif 000013
【図１３】
0004727863.tif 000014
【図１４】
0004727863.tif 000015
【図１５】
0004727863.tif 000016
【図１６】
0004727863.tif 000017
【図１７】
0004727863.tif 000018
【図１８】
0004727863.tif 000019
【図１９】
0004727863.tif 000020
【図２０】
0004727863.tif 000021
【図２１】
0004727863.tif 000022